(57)【特許請求の範囲】
【請求項１】
遊技台で遊技している利用者の遊技状況を取得し、前記利用者の遊技実績として集計する実績集計部と、
特典付与の対象となる遊技台を示す対象条件および前記遊技実績が満たすべき充足条件と、前記充足条件の成立時に付与する特典との組を、予め特典付与条件として設定する条件設定部と、
前記特典付与条件ごとに、前記利用者に関する前記遊技実績のうち、前記対象条件と一致する遊技台に関する前記遊技実績が前記充足条件を満たすか否か判定し、前記充足条件を満たす場合には前記充足条件と対応する前記特典を前記利用者に付与する特典処理部と
を備え、
前記特典処理部は、前記特典付与条件のうち、予め前記利用者が選択した特典付与条件のみを前記判定の対象とすることを特徴とする特典付与システム。
【請求項２】
請求項１に記載の特典付与システムにおいて、
前記特典処理部は、前記利用者に対する前記特典の付与に応じて、前記利用者の遊技台または前記遊技台に併設されている台間機で、前記付与に関する表示を行うことを特徴とする特典付与システム。
【請求項３】
請求項１または請求項２に記載の特典付与システムにおいて、
前記特典処理部は、前記利用者に対する前記特典の付与に応じて、前記利用者の遊技台に併設されている台間機に挿入されている利用者カードに、付与した前記特典に関する記録を行うことを特徴とする特典付与システム。
【請求項４】
請求項１〜請求項３のいずれかに記載の特典付与システムにおいて、
前記特典処理部は、前記判定の際、前記対象条件と一致する遊技台に関する遊技実績が前記充足条件を満たさない場合、前記充足条件を満たすのに必要となる残りの遊技実績、または、前記充足条件に対する前記遊技実績の達成度を、前記利用者の遊技台に併設されている台間機で表示することを特徴とする特典付与システム。
【請求項５】
各遊技台に併設された台間機と通信回線を介して接続されて、前記台間機から通知された前記遊技台における利用者の遊技状況に基づいて、前記利用者に特典を付与する特典付与装置であって、
前記台間機から通知された前記遊技状況を前記利用者の遊技実績として集計する実績集計部と、
特典付与の対象となる遊技台を示す対象条件および前記遊技実績が満たすべき充足条件と、前記充足条件の成立時に付与する特典との組を、予め特典付与条件として設定する条件設定部と、
前記利用者に関する前記遊技実績のうち、前記対象条件と一致する遊技台に関する前記遊技実績が前記充足条件を満たすか否か判定し、前記充足条件を満たす場合には前記充足条件と対応する前記特典を前記利用者に付与する特典処理部と
を備え、
前記特典処理部は、前記特典付与条件のうち、予め前記利用者が選択した特典付与条件のみを前記判定の対象とすることを特徴とする特典付与装置。
【請求項６】
各遊技台に併設された台間機であって、
前記遊技台から取得した利用者の遊技状況を前記利用者の遊技実績として集計する実績集計部と、
特典付与の対象となる遊技台を示す対象条件および前記遊技実績が満たすべき充足条件と、前記充足条件の成立時に付与する特典との組が、予め設定された特典付与条件ごとに、前記利用者に関する前記遊技実績のうち、前記対象条件と一致する遊技台に関する前記遊技実績が前記充足条件を満たすか否か判定し、前記充足条件を満たす場合には前記充足条件と対応する前記特典を前記利用者に付与する特典処理部と
を備え、
前記特典処理部は、前記特典付与条件のうち、予め前記利用者が選択した特典付与条件のみを前記判定の対象とすることを特徴とする台間機。
【発明の詳細な説明】
【技術分野】
【０００１】
本発明は、遊技台における遊技状況に応じて利用者に特典を付与する特典付与技術に関する。
【背景技術】
【０００２】
従来、パチンコ機やスロット機などの遊技台が設置されている遊技場では、遊技台での遊技内容と利用者の携帯端末で実行されるアプリとを連携させる技術として、例えば、遊技中に発生した大当たりなどの事象を示す伝達情報を、遊技台から音声により出力し、これを利用者の携帯端末に付属するマイクで検出して、携帯端末に遊技台での遊技内容に応じた各種画面を表示したり、あるいは遊技中に表示されるキャラクタの画像が得られる特典を付与する技術が提案されている（例えば、特許文献１など参照）。
【０００３】
このような従来技術によれば、遊技により払い出されたパチンコ玉やメダルを景品に交換するという本来の遊技目的とは別の特典を、利用者に付与することができる。したがって、利用者による遊技意欲を高めることができ、利用者の来場機会や遊技時間を増大させることができる。
【先行技術文献】
【特許文献】
【０００４】
【特許文献１】特開２００８−１６１４５１号公報
【発明の概要】
【発明が解決しようとする課題】
【０００５】
しかしながら、このような従来技術では、遊技中に遊技台で発生した事象など、遊技台での遊技内容を条件として予め指定されている特典を利用者に付与することになるため、特典を付与する特典付与条件が、遊技台メーカーにより、特定機種の遊技台の特定の事象に限定されるという問題点があった。
【０００６】
一般に、遊技場では、利用者の来場機会や遊技時間を増大させることだけでなく、各遊技台を効率よく利用者に利用させ、すべての遊技台の稼働率を向上させることも重要となる。したがって、特典を利用してすべての遊技台の稼働率を向上させるためには、限られた特定の機種だけでなく、稼働率の低い任意の機種の遊技台で特典を付与することが必要となる。
【０００７】
本発明はこのような課題を解決するためのものであり、任意の遊技台の稼働率を向上させることができる特典付与技術を提供することを目的としている。
【課題を解決するための手段】
【０００８】
このような目的を達成するために、本発明にかかる特典付与システムは、遊技台で遊技している利用者の遊技状況を取得し、前記利用者の遊技実績として集計する実績集計部と、特典付与の対象となる遊技台を示す対象条件および前記遊技実績が満たすべき充足条件と、前記充足条件の成立時に付与する特典との組を、予め特典付与条件として設定する条件設定部と、前記特典付与条件ごとに、前記利用者に関する前記遊技実績のうち、前記対象条件と一致する遊技台に関する前記遊技実績が前記充足条件を満たすか否か判定し、前記充足条件を満たす場合には前記充足条件と対応する前記特典を前記利用者に付与する特典処理部とを備え、前記特典処理部は、前記特典付与条件のうち、予め前記利用者が選択した特典付与条件のみを前記判定の対象としている。
【０００９】
また、本発明にかかる上記特典付与システムの一構成例は、前記特典処理部が、前記利用者に対する前記特典の付与に応じて、前記利用者の遊技台または前記遊技台に併設されている台間機で、前記付与に関する表示を行うようにしたものである。
【００１０】
また、本発明にかかる上記特典付与システムの一構成例は、前記特典処理部が、前記利用者に対する前記特典の付与に応じて、前記利用者の遊技台に併設されている台間機に挿入されている利用者カードに、付与した前記特典に関する記録を行うようにしたものである。
【００１２】
また、本発明にかかる上記特典付与システムの一構成例は、前記特典処理部が、前記判定の際、前記対象条件と一致する遊技台に関する遊技実績が前記充足条件を満たさない場合、前記充足条件を満たすのに必要となる残りの遊技実績、または、前記充足条件に対する前記遊技実績の達成度を、前記利用者の遊技台に併設されている台間機で表示するようにしたものである。
【００１３】
また、本発明にかかる特典付与装置は、各遊技台に併設された台間機と通信回線を介して接続されて、前記台間機から通知された前記遊技台における利用者の遊技状況に基づいて、前記利用者に特典を付与する特典付与装置であって、前記台間機から通知された前記遊技状況を前記利用者の遊技実績として集計する実績集計部と、特典付与の対象となる遊技台を示す対象条件および前記遊技実績が満たすべき充足条件と、前記充足条件の成立時に付与する特典との組を、予め特典付与条件として設定する条件設定部と、前記利用者に関する前記遊技実績のうち、前記対象条件と一致する遊技台に関する前記遊技実績が前記充足条件を満たすか否か判定し、前記充足条件を満たす場合には前記充足条件と対応する前記特典を前記利用者に付与する特典処理部とを備え、前記特典処理部は、前記特典付与条件のうち、予め前記利用者が選択した特典付与条件のみを前記判定の対象としている。
【００１４】
また、本発明にかかる台間機は、各遊技台に併設された台間機であって、前記遊技台から取得した利用者の遊技状況を前記利用者の遊技実績として集計する実績集計部と、特典付与の対象となる遊技台を示す対象条件および前記遊技実績が満たすべき充足条件と、前記充足条件の成立時に付与する特典との組が、予め設定された特典付与条件ごとに、前記利用者に関する前記遊技実績のうち、前記対象条件と一致する遊技台に関する前記遊技実績が前記充足条件を満たすか否か判定し、前記充足条件を満たす場合には前記充足条件と対応する前記特典を前記利用者に付与する特典処理部とを備え、前記特典処理部は、前記特典付与条件のうち、予め前記利用者が選択した特典付与条件のみを前記判定の対象としている。
【発明の効果】
【００１５】
本発明によれば、特典を付与する特典付与条件が、遊技台メーカーにより、特定機種の遊技台の特定の事象に限定されなくなり、遊技場側で、任意の機種の遊技台を特典付与判定の対象として設定できるとともに、任意の遊技実績を特典付与判定の充足条件として設定できる。したがって、稼働率の低い機種の遊技台について特典を付与することができ、各遊技台を効率よく利用者に利用させ、すべての遊技台の稼働率を向上させることが可能となる。
【図面の簡単な説明】
【００１６】
【図１】第１の実施の形態にかかる特典付与システムの構成を示すブロック図である。
【図２】実績データの構成例である。
【図３】条件データの構成例である。
【図４】特典データの構成例である。
【図５】特典付与動作を示すシーケンス図である。
【図６】特典付与判定処理を示すフローチャートである。
【図７】第２の実施の形態にかかる特典付与システムを示すブロック図である。
【発明を実施するための形態】
【００１７】
次に、本発明の実施の形態について図面を参照して説明する。
［第１の実施の形態］
まず、図１を参照して、本発明の第１の実施の形態にかかる特典付与システム１について説明する。図１は、第１の実施の形態にかかる特典付与システムの構成を示すブロック図である。
【００１８】
この特典付与システム１は、遊技場に設置された各遊技台３０に併設されている台間機２０と、通信回線ｌを介して各台間機２０と接続されて、遊技台３０で遊技する利用者に特典を付与する特典付与装置１０とから構成されている。
【００１９】
本発明は、特典付与の対象となる遊技台を示す対象条件および遊技実績が満たすべき充足条件と、充足条件の成立時に付与する特典との組からなる特典付与条件を予め設定しておき、利用者の遊技状況を集計して得られた遊技実績のうち、対象条件と一致する遊技台に関する遊技実績が充足条件を満たす場合に、対応する特典を付与するようにしたものである。
【００２０】
［台間機］
次に、図１を参照して、本実施の形態にかかる台間機２０の構成について説明する。
台間機２０は、パチンコ機やスロット機などの遊技台３０に併設されたＣＲユニットやメダル貸機などの端末装置からなり、利用者カード４０に記録されている貨幣価値の投入に応じて、遊技玉やメダルなどの遊技媒体を貸し出して遊技台３０に供給する機能を有している。
この台間機２０には、主な機能部として、通信Ｉ／Ｆ部２１、操作入力部２２、画面表示部２３、カードＩ／Ｆ部２４、玉貸部２５、および制御部２６が設けられている。
【００２１】
通信Ｉ／Ｆ部２１は、通信回線Ｌを介して特典付与装置１０とデータ通信を行う機能を有している。
操作入力部２２は、タッチパネルや操作キーなどの操作入力装置からなり、利用者操作を検出して出力する機能を有している。
画面表示部２３は、ＬＣＤなどの画面表示装置からなり、付与された特典などの各種情報を画面表示する機能を有している。
【００２２】
カードＩ／Ｆ部２４は、利用者が挿入した利用者カード４０に記録されている各種データの読み出し／書き込みを行う機能を有している。
玉貸部２５は、カードに記録されている貨幣価値に応じた数の遊技媒体を貸し出して遊技台３０に供給する機能を有している。
【００２３】
制御部２６は、対応する遊技台３０から収集した利用者の遊技状況および台番号と、利用者カード４０に記録されている利用者ＩＤとを含む遊技情報を、通信Ｉ／Ｆ部２１から通信回線Ｌを介して特典付与装置１０へ通知する機能と、通信回線Ｌを介して通信Ｉ／Ｆ部２１で受信した特典付与装置１０からの各種情報を画面表示部２３で画面表示し、あるいはカードＩ／Ｆ部２４を介して利用者カード４０に記録する機能とを有している。
【００２４】
［特典付与装置］
次に、図１を参照して、本実施の形態にかかる特典付与装置１０の構成について説明する。
特典付与装置１０は、全体としてサーバ装置などの情報処理装置からなり、通信回線Ｌを介して接続された台間機２０から通知された遊技状況に基づいて、遊技台３０で遊技する利用者に特典を付与する機能を有している。
特典付与装置１０には、主な機能部として、通信Ｉ／Ｆ部１１、操作入力部１２、画面表示部１３、記憶部１４、条件設定部１５、実績集計部１６、および特典処理部１７が設けられている。
【００２５】
通信Ｉ／Ｆ部１１は、通信回線Ｌを介して各台間機２０とデータ通信を行う機能を有している。
操作入力部１２は、キーボード、マウス、タッチパネルなどの操作入力装置からなり、オペレータの操作を検出して出力する機能を有している。
画面表示部１３は、ＬＣＤなどの画面表示装置からなり、特典付与条件の設定画面など、各種情報を画面表示する機能を有している。
【００２６】
記憶部１４は、ハードディスクや半導体メモリなどの記憶装置からなり、特典付与処理で用いる各種処理情報を記憶する機能を有している。
記憶部１４で記憶する主な処理部として、実績データ、条件データ、および特典データがある。
【００２７】
実績データは、各台間機２０から通知された、遊技台３０で遊技している利用者の遊技状況を、利用者ごとに遊技実績として集計したデータである。図２は、実績データの構成例である。ここでは、利用者を識別するための利用者ＩＤごとに、利用者が遊技した遊技台の台番号、アウト玉数、セーフ玉数、大当たり回数、リーチ回数、遊技の開始・終了時間などの遊技状況が組として登録されている。
【００２８】
条件データは、実績データに記録されている利用者の遊技実績に基づいて、特典付与の要否を判定するための特典付与条件を示すデータである。図３は、条件データの構成例である。ここでは、特典付与条件を識別するための条件ＩＤごとに、特典付与の対象となる遊技台を示す対象条件、遊技実績が満たすべき条件を示す充足条件、および充足条件の成立時に付与する特典が組として登録されている。
【００２９】
特典データは、利用者に付与された特典を示すデータである。図４は、特典データの構成例である。ここでは、利用者ＩＤごとに、付与された特典と特典が付与された付与日時とが組として登録されている。
【００３０】
条件設定部１５は、操作入力部１２で検出されたオペレータ操作に応じて、特典付与の対象となる遊技台３０を示す対象条件および遊技実績が満たすべき充足条件と、充足条件の成立時に付与する特典との組を、特典付与条件として記憶部１４の条件データに設定する機能を有している。
【００３１】
実績集計部１６は、各台間機２０から通知された、遊技台３０で遊技している利用者の遊技状況を、利用者ごとに遊技実績として集計し、記憶部１４の実績データに記録する機能を有している。
【００３２】
特典処理部１７は、記憶部１４の条件データに設定されている特典付与条件ごとに、記憶部１４の実績データに記録されている利用者に関する遊技実績のうち、対象条件と一致する遊技台３０に関する遊技実績が充足条件を満たすか否か判定する機能と、充足条件を満たす場合には充足条件と対応する特典を利用者に付与する機能と、付与した特典を記憶部１４の特典データに記録する機能とを有している。
【００３３】
また、特典処理部１７は、利用者に対する特典の付与に応じて、利用者の遊技台３０または台間機２０で、付与に関する表示を行う機能と、利用者に対する特典の付与に応じて、利用者の台間機２０に挿入されている利用者カード４０に、付与した特典に関する記録するよう、台間機２０に指示する機能と、特典付与条件のうち、台間機２０での利用者操作により予め選択された特典付与条件のみを判定の対象とする機能とを有している。
【００３４】
［第１の実施の形態の動作］
次に、図５を参照して、本実施の形態にかかる特典付与システムの動作について説明する。図５は、特典付与動作を示すシーケンス図である。
以下では、１つの台間機２０から通知される遊技状況を、特典付与装置１０で逐次集計して得られた遊技実績に基づいて、遊技台３０で遊技する利用者に特典を付与する場合を例として説明するが、実際には、複数の台間機２０に対して特典付与動作が実行される。
【００３５】
利用者が、遊技開始時、選択した遊技台３０の台間機２０に利用者カード４０を挿入した場合（ステップ１００）、台間機２０の制御部２６は、遊技台３０の台番号と利用者カード４０に記録されている利用者ＩＤとを含むカード挿入通知を、特典付与装置１０へ通知する（ステップ１０１）。
特典付与装置１０の実績集計部１６は、台間機２０からのカード挿入通知に応じて、記憶部１４の実績データに、通知された利用者ＩＤに関連付けて台番号や遊技開始時間を記録し（ステップ１０２）、遊技状況の集計を開始する。
【００３６】
この後、利用者による遊技開始に応じて（ステップ１０３）、台間機２０の制御部２６は、例えば周期的に、遊技台３０から収集した利用者の遊技状況および台番号と、利用者カード４０に記録されている利用者ＩＤとを含む遊技情報を、特典付与装置１０へ通知する（ステップ１０４）。
特典付与装置１０の実績集計部１６は、台間機２０からの遊技情報に応じて、記憶部１４の実績データに、通知された利用者ＩＤに関連付けて遊技内容を集計して記録する（ステップ１０５）。
【００３７】
一方、特典付与装置１０の特典処理部１７は、例えば新たな遊技情報の通知ごとに、集計後の遊技実績に関する特典付与判定を実行し（ステップ１１０）、遊技実績が特定付与条件を満たす場合、利用者に対して特典を付与する（ステップ１１１）。
【００３８】
この後、特典処理部１７は、特典付与に応じて、特典付与を表示する特典付与表示指示を利用者の台間機２０へ通知するようにしてもよい（ステップ１１２）。これに応じて、台間機２０の制御部２６は、特典付与および特典内容を画面表示部２３や遊技台３０で表示する（ステップ１１３）。これにより、利用者は特典が付与されたことをリアルタイムで知ることができる。また、付与された特典が遊技場からの景品である場合、利用者に呼ばれた係員が表示内容を確認して、対応する景品を利用者に提供することができ、きめ細かいサービスを提供できる。
【００３９】
また、特典処理部１７は、特典付与に応じて、特典付与をカードに記録する特典付与記録指示を利用者の台間機２０へ通知するようにしてもよい（ステップ１１４）。これに応じて、台間機２０の制御部２６は、特典付与および特典内容をカードＩ／Ｆ部２４を介して利用者カード４０に記録する（ステップ１１５）。これにより、遊技終了後、利用者が遊技場のカウンターで利用者カード４０を提示することにより、特典に応じた景品を受け取ることができる。
【００４０】
この後、利用者が、遊技終了時、台間機２０から利用者カード４０を排出させた場合（ステップ１２０）、台間機２０の制御部２６は、遊技台３０の台番号と利用者カード４０に記録されていた利用者ＩＤとを含むカード排出通知を、特典付与装置１０へ通知する（ステップ１２１）。
特典付与装置１０の実績集計部１６は、台間機２０からのカード排出通知に応じて、記憶部１４の実績データに、通知された利用者ＩＤに関連付けて台番号や遊技終了時間を記録し（ステップ１２２）、一連の特典付与動作を終了する。
【００４１】
［特典付与判定処理］
次に、図６を参照して、図５のステップ１１０で実行される特典付与判定処理について説明する。図６は、特典付与判定処理を示すフローチャートである。ここでは、台間機２０からの遊技情報に応じて新たな集計された、特定の利用者に関する特定の遊技台３０での遊技実績について、特典付与判定を行う場合を例として説明する。
【００４２】
まず、特典付与装置１０の特典処理部１７は、記憶部１４の条件データから未判定の特典付与条件を１つ選択し（ステップ１３０）、遊技実績の台番号が選択した特典付与条件の対象条件と一致するか確認する（ステップ１３１）。
ここで、遊技実績の台番号と対象条件とが一致しない場合（ステップ１３１：ＮＯ）、特典処理部１７は、ステップ１３４へ移行して、未判定の特典付与条件が存在するか確認し（ステップ１３４）、存在する場合には（ステップ１３４：ＹＥＳ）、ステップ１３０へ戻る。
【００４３】
一方、遊技実績の台番号と対象条件とが一致した場合（ステップ１３１：ＹＥＳ）、特典処理部１７は、遊技実績の集計結果が選択した特典付与条件の充足条件を満足するか確認する（ステップ１３２）。
ここで、遊技実績の集計結果が充足条件を満足しない場合（ステップ１３２：ＮＯ）、特典処理部１７は、前述したステップ１３４へ移行する。
【００４４】
また、遊技実績の集計結果が充足条件を満足した場合（ステップ１３２：ＹＥＳ）、特典処理部１７は、遊技実績の利用者と選択した特典付与条件で指定されている特典とを、記憶部１４の特典データに登録することにより、利用者に特典を付与し（ステップ１３３）、前述したステップ１３４へ移行する。
ステップ１３４において、すべての特典付与条件について判定が終了した場合（ステップ１３４：ＮＯ）、一連の特典付与判定処理を終了する。
【００４５】
なお、図６では、特定の利用者に関する特定の遊技台３０での遊技実績について、特典付与判定を行う場合を例として説明したが、特典付与判定によっては異なる複数の遊技台３０での遊技実績に基づき特典付与判定を行う場合もある。例えば、利用者が、同一特典付与判定の対象条件に含まれる複数の遊技台３０で遊技した場合、これら遊技台３０での遊技実績をまとめて、特典付与判定を行えばよい。
【００４６】
［第１の実施の形態の効果］
このように、本実施の形態は、条件設定部１５が、特典付与の対象となる遊技台３０を示す対象条件および遊技実績が満たすべき充足条件と、充足条件の成立時に付与する特典との組を、予め特典付与条件として設定しておき、特典処理部１７が、遊技台３０における利用者の遊技状況を集計して得られた遊技実績のうち、対象条件と一致する遊技台３０に関する遊技実績が充足条件を満たす場合に、対応する特典を利用者に付与するようにしたものである。
【００４７】
これにより、特典を付与する特典付与条件が、遊技台メーカーにより、特定機種の遊技台３０の特定の事象に限定されなくなり、遊技場側で、任意の機種の遊技台３０を特典付与判定の対象として設定できるとともに、任意の遊技実績を特典付与判定の充足条件として設定できる。したがって、稼働率の低い機種の遊技台３０について特典を付与することができ、各遊技台３０を効率よく利用者に利用させ、すべての遊技台３０の稼働率を向上させることが可能となる。
【００４８】
また、遊技中に画面表示される映像メディア作品に関連した画像データやグッズを特典としても、利用者の嗜好に合わず入手したいと思わない特典を付与しても、遊技台３０の稼働率を向上させることは難しい。本実施の形態によれば、付与する特典の内容を遊技場側で任意設定することができ、さらには、充足条件の難易度に応じて付与する特典を設定できるため、利用者にニーズにあった特典を設定することができ、より効果的に遊技台３０の稼働率を向上させることが可能となる。
【００４９】
また、本実施の形態において、特典処理部１７が、利用者に対する特典の付与に応じて、利用者の遊技台３０または遊技台３０に併設されている台間機２０で、付与に関する表示を行うようにしてもよい。これにより、利用者は特典が付与されたことをリアルタイムで知ることができる。また、付与された特典が遊技場からの景品である場合、利用者に呼ばれた係員が画面を確認して、対応する景品を利用者に提供することができ、きめ細かいサービスを提供できる。
【００５０】
また、本実施の形態において、特典処理部１７が、利用者に対する特典の付与に応じて、利用者の遊技台３０に併設されている台間機２０に挿入されている利用者カード４０に、付与した特典に関する記録を行うようにしてもよい。これにより、遊技終了後、利用者が遊技場のカウンターで利用者カード４０を提示することにより、特典に応じた景品を受け取ることができる。
【００５１】
また、本実施の形態において、特典処理部１７が、特典付与条件のうち、予め利用者に割り当てた特典付与条件のみを判定の対象とするようにしてもよい。これにより、利用者が台間機２０から予め選択した特典付与条件を割り当てることができ、利用者が不要な特典の付与を回避することができる。また、遊技場側で任意の特典付与条件のみを判定の対象として自動選択することもでき、付与する特典の数を制限できる。あるいは、遊技実績ごとに適応される特典付与条件を予め設定しておけば、利用者が遊技実績を重ねるについて、より魅力的な特典の特典付与条件に利用者がチャレンジできるよう制御することもできる。
【００５２】
また、本実施の形態において、特典処理部１７が、判定の際、対象条件と一致する遊技台３０に関する遊技実績が充足条件を満たさない場合、充足条件を満たすのに必要となる残りの遊技実績、または、充足条件に対する遊技実績の達成度を、利用者の遊技台３０に併設されている台間機２０で表示するようにしてもよい。
これにより、利用者は、あとどの程度の遊技実績を積めばどのような特典が付与されるかを確認することができ、遊技の目標を把握することができ、利用者による遊技意欲を高めることができる。
【００５３】
［第２の実施の形態］
次に、図７を参照して、本発明の第２の実施の形態にかかる特典付与システム１について説明する。図７は、第２の実施の形態にかかる特典付与システムを示すブロック図である。
第１の実施の形態では、遊技実績の集計や特典付与の判定を特典付与装置１０で実行する場合を例として説明した。本実施の形態では、遊技実績の集計や特典付与の判定を台間機２０で実行する場合について説明する。
【００５４】
図７に示すように、台間機２０には、実績集計部２７と特典処理部２８とが追加されている。また、実績データ、条件データ、および特典データは、利用者カード４０に記録される。
【００５５】
実績集計部２７は、遊技台３０から取得した利用者の遊技状況を利用者の遊技実績として集計し、カードＩ／Ｆ部２４を介して利用者カード４０の実績データに記録する機能を有している。
【００５６】
また、特典処理部２８は、利用者カード４０に予め記録されている特典付与条件ごとに、利用者カード４０の実績データに記録されている利用者に関する遊技実績のうち、対象条件と一致する遊技台３０に関する遊技実績が充足条件を満たすか否か判定し、充足条件を満たす場合には充足条件と対応する特典を利用者に付与する機能、付与した特典を利用者カード４０の特典データに記録する機能とを有している。
【００５７】
したがって、特典付与装置１０から実績集計部１６と特典処理部１７とが省かれている。また、利用者カード４０挿入時、制御部２６が利用者カード４０に最新の特典付与条件が記録されているか確認し、最新のものでない場合、特典付与装置１０の条件設定部１５で設定した内容を、通信回線Ｌを介して取得し、カードＩ／Ｆ部２４を介して利用者カード４０に記録するようにしてもよい。なお、特典付与条件については、利用者が遊技場に設置されている専用端末で利用者カード４０に記録するようにしてもよい。
【００５８】
なお、本実施の形態にかかる特典付与動作や特典付与判定処理については、通信回線Ｌを介した各種情報のやり取りがなくなるものの、前述した第１の実施の形態とほぼ同様であり、ここでの説明は省略する。
【００５９】
［第２の実施の形態の効果］
このように本実施の形態によれば、遊技実績の集計や特典付与の判定を台間機２０で実行するようにしたので、特典付与装置１０での処理負担を大幅に軽減できるとともに、台間機２０では、遊技中の利用者に関する特典付与判定を実行すればよく、少ない処理負担で遊技状況の変化に遅れることなく特典付与を実施することができる。
【００６０】
［実施の形態の拡張］
以上、実施形態を参照して本発明を説明したが、本発明は上記実施形態に限定されるものではない。本発明の構成や詳細には、本発明のスコープ内で当業者が理解しうる様々な変更をすることができる。また、各実施形態については、矛盾しない範囲で任意に組み合わせて実施することができる。
【符号の説明】
【００６１】
１…特典付与システム、１０…特典付与装置、１１…通信Ｉ／Ｆ部、１２…操作入力部、１３…画面表示部、１４…記憶部、１５…条件設定部、１６…実績集計部、１７…特典処理部、２０…台間機、２１…通信Ｉ／Ｆ部、２２…操作入力部、２３…画面表示部、２４…カードＩ／Ｆ部、２５…玉貸部、２６…制御部、２７…実績集計部、２８…特典処理部、３０…遊技台、４０…利用者カード、Ｌ…通信回線。
【図１】
0006683005.tif 000002
【図２】
0006683005.tif 000003
【図３】
0006683005.tif 000004
【図４】
0006683005.tif 000005
【図５】
0006683005.tif 000006
【図６】
0006683005.tif 000007
【図７】
0006683005.tif 000008